(57)【要約】【課題】パネル部のベース部に対する位置決め性を向上させることができるパネル装置およびパネル装置の組立方法を提供する。【解決手段】実施形態の一態様に係るパネル装置においては、ベース部と、ベース部に取り付けられるパネル部とを備える。パネル部は、パネル部の裏面からベース部への取り付け方向とは異なる方向に向けて突出する基端部と、基端部からベース部への取り付け方向に向けて突出する挿通部とを含む爪部を備える。ベース部は、挿通部が挿通可能な挿通孔を有する孔部と、挿通孔に隣接して設けられる突起部とを備える。そして、爪部の挿通部および基端部が孔部の挿通孔に挿通されることにより、突起部は挿通部とパネル部の裏面との間に挟まれて位置されるとともに、基端部は挿通孔に係止され、よってパネル部がベース部に取り付けられる。【選択図】図１
2018123922.tif 000002
【特許請求の範囲】
【請求項１】
ベース部と、
前記ベース部に取り付けられるパネル部と
を備え、
前記パネル部は、
前記パネル部の裏面から前記ベース部への取り付け方向とは異なる方向に向けて突出する基端部と、前記基端部から前記ベース部への取り付け方向に向けて突出する挿通部とを含む爪部を備え、
前記ベース部は、
前記挿通部が挿通可能な挿通孔を有する孔部と、
前記挿通孔に隣接して設けられる突起部とを備え、
前記爪部の前記挿通部および前記基端部が前記孔部の前記挿通孔に挿通されることにより、前記突起部は前記挿通部と前記パネル部の裏面との間に挟まれて位置されるとともに、前記基端部は前記挿通孔に係止され、よって前記パネル部が前記ベース部に取り付けられること
を特徴とするパネル装置。
【請求項２】
前記孔部は、
前記挿通孔が形成されるとともに、弾性変形可能な板部を備え、
前記板部は、
前記挿通部および前記基端部が前記挿通孔に挿通されるときに前記基端部が押し当てられて初期形状から弾性変形した後、前記挿通部および前記基端部の挿通が完了して前記基端部の押し当てが解除されて前記初期形状に戻ることで、前記基端部を前記挿通孔に係止させること
を特徴とする請求項１に記載のパネル装置。
【請求項３】
前記ベース部は、
前記パネル部が前記ベース部に取り付けられた状態で、前記パネル部の裏面と当接するリブ部
を備えることを特徴とする請求項１または２に記載のパネル装置。
【請求項４】
前記パネル部は、
少なくとも一部が表面側へ突出するように湾曲して形成されるとともに、
前記爪部は、
前記パネル部の湾曲した部位に設けられること
を特徴とする請求項１〜３のいずれか一つに記載のパネル装置。
【請求項５】
前記爪部は、
前記パネル部の開口付近に設けられること
を特徴とする請求項１〜４のいずれか一つに記載のパネル装置。
【請求項６】
前記ベース部および前記パネル部は、
車両に搭載されること
を特徴とする請求項１〜５のいずれか一つに記載のパネル装置。
【請求項７】
ベース部と、前記ベース部に取り付けられるパネル部とを備えたパネル装置の組立方法であって、
前記パネル部の裏面から前記ベース部への取り付け方向とは異なる方向に向けて突出する基端部と、前記基端部から前記ベース部への取り付け方向に向けて突出する挿通部とを含む爪部を備えた前記パネル部を、前記挿通部が挿通可能な挿通孔を有する孔部と、前記挿通孔に隣接して設けられる突起部とを備えた前記ベース部に対向して配置させる工程と、
前記爪部の前記挿通部および前記基端部が前記孔部の前記挿通孔に挿通されることにより、前記突起部は前記挿通部と前記パネル部の裏面との間に挟まれて位置されるとともに、前記基端部は前記挿通孔に係止され、よって前記パネル部を前記ベース部に取り付ける工程と
を含むことを特徴とするパネル装置の組立方法。
【発明の詳細な説明】
【技術分野】
【０００１】
本発明は、パネル装置およびパネル装置の組立方法に関する。
【背景技術】
【０００２】
従来、例えばディスプレイ装置などの車載機器を車両のインストルメントパネルに装着させる技術が種々知られている（例えば特許文献１参照）。上記した車載機器において、車室側の外観となる部分にはパネル装置が設けられる。
【０００３】
従来技術に係るパネル装置は、例えばユーザによって操作される操作面等を有するパネル部と、パネル部が取り付けられるベース部とを備える。また、例えばパネル部にはベース部への取り付け方向に向けて突出する爪部が形成される一方、ベース部には孔が形成される。そして、従来技術にあっては、パネル部の爪部をベース部の孔に挿通して係止させることで、パネル部をベース部に対して位置決めしつつ固定していた。
【先行技術文献】
【特許文献】
【０００４】
【特許文献１】特開２００４−２７６８１２号公報
【発明の概要】
【発明が解決しようとする課題】
【０００５】
しかしながら、従来技術のように構成すると、例えば取り付け方向に沿った方向を前後方向とした場合、パネル部はベース部に対し、前後方向の位置決めはなされるものの、上下方向の位置決めはなされないため、上下方向の位置ずれやガタツキ等が生じるおそれがあった。このように、従来技術に係るパネル装置には、パネル部のベース部に対する位置決め性の向上という点で改善の余地があった。
【０００６】
本発明は、上記に鑑みてなされたものであって、パネル部のベース部に対する位置決め性を向上させることができるパネル装置およびパネル装置の組立方法を提供することを目的とする。
【課題を解決するための手段】
【０００７】
上記課題を解決し、目的を達成するために、本発明は、パネル装置において、ベース部と、前記ベース部に取り付けられるパネル部とを備える。前記パネル部は、前記パネル部の裏面から前記ベース部への取り付け方向とは異なる方向に向けて突出する基端部と、前記基端部から前記ベース部への取り付け方向に向けて突出する挿通部とを含む爪部を備える。前記ベース部は、前記挿通部が挿通可能な挿通孔を有する孔部と、前記挿通孔に隣接して設けられる突起部とを備える。そして、前記爪部の前記挿通部および前記基端部が前記孔部の前記挿通孔に挿通されることにより、前記突起部は前記挿通部と前記パネル部の裏面との間に挟まれて位置されるとともに、前記基端部は前記挿通孔に係止され、よって前記パネル部が前記ベース部に取り付けられる。
【発明の効果】
【０００８】
本発明によれば、パネル部のベース部に対する位置決め性を向上させることができる。
【図面の簡単な説明】
【０００９】
【図１】図１は、実施形態に係るパネル装置の概要を示す図である。
【図２】図２は、パネル装置を備えた表示システムの分解斜視図である。
【図３】図３は、パネル部を裏面側から見た場合の爪部付近を拡大して示す斜視図である。
【図４】図４は、図３のIV−IV線断面図である。
【図５】図５は、ベース部の孔部付近を拡大して示す斜視図である。
【図６】図６は、図５のVI−VI線断面図である。
【図７】図７は、パネル部が取り付けられたベース部を示す拡大斜視図である。
【図８Ａ】図８Ａは、パネル装置の組み立て方法を説明するための図である。
【図８Ｂ】図８Ｂは、パネル装置の組み立て方法を説明するための図である。
【図８Ｃ】図８Ｃは、パネル装置の組み立て方法を説明するための図である。
【図８Ｄ】図８Ｄは、パネル装置の組み立て方法を説明するための図である。
【図８Ｅ】図８Ｅは、パネル装置の組み立て方法を説明するための図である。
【図８Ｆ】図８Ｆは、パネル装置の組み立て方法を説明するための図である。
【発明を実施するための形態】
【００１０】
以下、添付図面を参照して、本願の開示するパネル装置およびパネル装置の組立方法の実施形態を詳細に説明する。なお、以下に示す実施形態によりこの発明が限定されるものではない。
【００１１】
＜１．パネル装置の概要＞
まず、図１を用いて、実施形態に係るパネル装置の概要について説明する。図１は、実施形態に係るパネル装置の概要を示す図である。なお、図１の上段の図は、車両１の車室２内から車両前方を見たときの図である。また、図１および図２以降に示す図は、いずれも模式図である。
【００１２】
なお、図１の上段図においては、説明の便宜のために、鉛直上向きを正方向、鉛直下向きを負方向とするＺ軸、車幅方向をＸ軸、車長方向をＹ軸とした３次元の直交座標系を図示している。かかる直交座標系は、後述の説明に用いる他の図面でも示す場合がある。
【００１３】
図１の上段図に示すように、本実施形態に係るパネル装置２０は、例えばディスプレイ装置やオーディオ装置などの車載機器用であり、車室２側の外観となる部分に設けられる。
【００１４】
なお、パネル装置２０が設けられる車載機器は、上記したディスプレイ装置等に限定されるものではなく、例えばメータ等の計器やスピーカ装置など、その他の車載機器であってもよい。また、本実施形態では、表示システム１００がパネル装置２０を備えるが、かかる表示システム１００については図２を用いて後述する。
【００１５】
パネル装置２０は、車室２の前方のインストルメントパネル３に配置される。パネル装置２０は、例えばインストルメントパネル３において運転席と助手席との間の位置に配置されるが、パネル装置２０の位置は、これに限られず、車両１の種類などに応じて適宜変更可能である。
【００１６】
パネル装置２０は、パネル部３０と、ベース部５０（図１の上段図で見えず。図２参照）とを備える。パネル部３０は、外観をなす意匠パネルである。ベース部５０は、パネル部３０の裏面側に配置され、パネル部３０が取り付けられる。なお、パネル部３０およびベース部５０の形状等については、図２以降を参照して後述する。
【００１７】
図１の下段の図は、パネル部３０のベース部５０に対する取り付け部分を拡大して示す縦断面図である。なお、図１の下段図に示す例では、Ｙ軸正方向がパネル部３０のベース部５０に対する取り付け方向であるものとする。また、以下では、取り付け方向たるＹ軸正方向を「前方向」、Ｙ軸負方向を「後方向」、取り付け方向に沿ったＹ軸方向を「前後方向」と記載する場合がある。
【００１８】
パネル部３０は、爪部４１を備える。爪部４１は、パネル部３０の裏面３０ｂ側に設けられるとともに、図１の下段図に示すように、縦断面視で略Ｌ字状に形成される。
【００１９】
詳しくは、爪部４１は、基端部４２と、挿通部４３とを備える。基端部４２は、パネル部３０の裏面３０ｂからベース部５０への取り付け方向たるＹ軸正方向とは異なる方向に向けて突出するように形成される。ここでは、基端部４２は、パネル部３０の裏面３０ｂからＺ軸負方向（鉛直下向き方向）に向けて突出するように形成される。
【００２０】
挿通部４３は、基端部４２からベース部５０への取り付け方向たるＹ軸正方向に向けて突出するように形成される。
【００２１】
ベース部５０は、孔部６１と、突起部７１とを備える。孔部６１は、パネル部３０の挿通部４３が挿通可能な挿通孔６３を有する。突起部７１は、挿通孔６３に対しＺ軸正方向側に隣接して設けられる。
【００２２】
本実施形態に係るパネル装置２０にあっては、パネル部３０が爪部４１を備える一方、ベース部５０が孔部６１および突起部７１を備えることで、パネル部３０のベース部５０に対する位置決め性を向上させることができる。
【００２３】
具体的には、パネル部３０がベース部５０に取り付けられた状態において、爪部４１の挿通部４３および基端部４２は、孔部６１の挿通孔６３に挿通される。このとき、ベース部５０側の突起部７１は、パネル部３０側の挿通部４３とパネル部３０の裏面３０ｂとの間に挟まれて位置される。また、パネル部３０側の爪部４１の基端部４２は、ベース部５０側の挿通孔６３に係止される。
【００２４】
このように、突起部７１が挿通部４３とパネル部３０の裏面３０ｂとの間に挟まれて位置されるため、パネル部３０の上下方向（Ｚ軸方向。矢印Ｄ１参照）および前方向（Ｙ軸正方向）の移動が突起部７１によって規制される。これにより、パネル部３０をベース部５０に対して上下方向に位置決めしつつ固定することができるとともに、前方向にも位置決めしつつ固定することができる。
【００２５】
さらに、パネル部３０側の爪部４１の基端部４２はベース部５０側の挿通孔６３に係止されるため、パネル部３０の後方向（Ｙ軸負方向）の移動が規制される。これにより、パネル部３０をベース部５０に対して後方向に位置決めしつつ固定することができる。
【００２６】
すなわち、突起部７１が挿通部４３とパネル部３０の裏面３０ｂとの間に挟まれて位置され、基端部４２が挿通孔６３に係止されることによって、パネル部３０をベース部５０に対して前後方向（Ｙ軸方向。矢印Ｄ２参照）に位置決めしつつ固定することができる。
【００２７】
このように、本実施形態にあっては、パネル部３０のベース部５０に対する位置決めが、従来技術のように前後方向の一方向のみならず、上下方向も行うことができる。すなわち、パネル部３０を前後方向および上下方向の二方向で位置決めすることができ、よってパネル部３０のベース部５０に対する位置決め性を向上させることができる。
【００２８】
さらに、本実施形態にあっては、パネル部３０のベース部５０に対する位置決め性の向上により、パネル部３０のベース部５０に対する位置ずれやガタツキを効果的に抑制することができる。
【００２９】
＜２．パネル装置の具体的構成＞
次に、実施形態に係るパネル装置２０などの詳細な構成について、図２以降を参照して説明する。図２は、パネル装置２０を備えた表示システム１００の分解斜視図である。
【００３０】
図２に示すように、表示システム１００は、本体部１０と、パネル装置２０と、表示部８０とを備える。
【００３１】
本体部１０は、ＤＶＤ（Digital  Versatile  Disk）やＣＤ（Compact  Disc）などの再生装置（図示せず）、車載機器の全体制御を行うＣＰＵ（Central  Processing  Unit。図示せず）などの各種部品を含み、インストルメントパネル３（図１参照）の内部に配置される。なお、図２では、本体部１０を直方体状のブロックで模式的に示している。
【００３２】
表示部８０は、例えば液晶パネルなどの表示画面８０ａを備える。かかる表示画面８０ａには、例えばＤＶＤ映像やルート案内など種々の情報が表示される。表示部８０は、パネル装置２０のベース部５０に収容される。
【００３３】
パネル装置２０は、上記したように、パネル部３０と、ベース部５０とを備える。パネル部３０は、樹脂製とされるが、これに限定されるものではない。
【００３４】
パネル部３０は、例えば薄板状に形成されるとともに、平面部位３２と、湾曲部位３３とを備える。平面部位３２は、例えばパネル部３０の下端部３０ｃからＺ軸正方向に沿って平面状に形成される。
【００３５】
湾曲部位３３は、平面部位３２から連続して形成されるとともに、例えばパネル部３０の上端部３０ｄ付近において表面３０ａ側へ突出するように湾曲した形状に形成される。このように、パネル部３０は、少なくとも一部が表面３０ａ側へ突出するように湾曲して形成されるが、パネル部３０の形状は図示のものに限定されるものではない。
【００３６】
また、パネル部３０の表面３０ａは、表示領域３１ａと、非表示領域３１ｂとに区画される。表示領域３１ａは、表示部８０の表示画面８０ａと対向する位置に形成される。表示領域３１ａは、例えば透明で透光性を有するように形成される。これにより、ユーザは、表示部８０の表示画面８０ａに表示された情報をパネル部３０の表示領域３１ａを介して視認することが可能となる。
【００３７】
非表示領域３１ｂは、表示領域３１ａ以外の領域であり、例えば黒色などに加飾されて遮光性を有するように形成される。なお、パネル部３０は、例えば裏面３０ｂ側に静電容量方式のセンサが取り付けられて、ユーザの表示領域３１ａに対する接触位置を検出するタッチパネルであってもよい。
【００３８】
パネル部３０には、例えばＤＶＤなどを上記した再生装置に挿入するための開口３４が形成される。かかる開口３４は、例えばパネル部３０の平面部位３２に形成される、詳しくは、平面部位３２のうち湾曲部位３３と近接した位置に形成される。なお、開口３４の位置は、任意に変更可能である。
【００３９】
パネル部３０の裏面３０ｂには、上記した爪部４１が複数個設けられる。なお、図２では、爪部４１は見えないため、爪部４１の位置を破線の閉曲線で囲んで示している。また、爪部４１の個数は、図２で例示した数に限定されるものではなく、任意に設定することができる。
【００４０】
図３は、パネル部３０を裏面３０ｂ側から見た場合の爪部４１付近を拡大して示す斜視図である。また、図４は、図３のIV−IV線断面図である。
【００４１】
図３および図４に示すように、爪部４１は、上記した基端部４２と、挿通部４３と、傾斜部４４とを備える。基端部４２は、例えば板状に形成され、パネル部３０の裏面３０ｂからＺ軸負方向に向けて突出するように形成される。なお、基端部４２は、パネル部３０と一体的に形成されるが、これ限られず、パネル部３０とは別体に形成されてもよい。
【００４２】
挿通部４３も板状に形成される。挿通部４３は、基端部４２の下端部４２ａよりも所定距離だけ上方の位置から、取り付け方向（Ｙ軸正方向）に向けて突出するように形成される。これにより、図４に示すように、挿通部４３とパネル部３０の裏面３０ｂと基端部４２との間には、空間Ｓが形成される。そして、パネル部３０がベース部５０に取り付けられる際、かかる空間Ｓにベース部５０側の突起部７１が入り込んで、挿通部４３とパネル部３０の裏面３０ｂとによって挟まれることとなる。
【００４３】
傾斜部４４は、傾斜面４４ａを備える。傾斜面４４ａは、例えば基端部４２の下端部４２ａと挿通部４３の下面４３ａの適宜位置とを結ぶように形成される。また、傾斜面４４ａは、取り付け方向に対して傾斜する面である。
【００４４】
図２の説明に戻ると、上記のように構成された爪部４１は、例えばパネル部３０の湾曲部位３３の付近に設けられる。これにより、パネル部３０のベース部５０に対する位置ずれやガタツキを効果的に抑制することができる。
【００４５】
すなわち、パネル部３０の湾曲部位３３付近は、例えば鉛直方向に延びる平面部位３２からなだらかに水平方向となるように湾曲している部位であるため、例えばユーザの接触等によって前後方向や上下方向の外力が作用しやすい。前後方向や上下方向の外力が作用すると、湾曲部位３３付近は、ベース部５０に対して位置ずれやガタツキを生じやすい。
【００４６】
そこで、本実施形態にあっては、パネル部３０の湾曲部位３３の付近に爪部４１を設け、湾曲部位３３の付近でベース部５０に取り付けるようにした。本実施形態にあっては、爪部４１等により、パネル部３０をベース部５０に対して前後方向や上下方向に位置決めしつつ固定できることから、湾曲部位３３付近のベース部５０に対する位置ずれやガタツキを効果的に抑制することができる。
【００４７】
さらに、パネル部３０の裏面３０ｂ側であって湾曲部位３３付近は、ベース部５０との間の空間が比較的狭くなるが、爪部４１は、例えばボルトやナットなどの取り付け部材に比べて小さいため、パネル部３０の裏面３０ｂ側の狭い空間にも設けることができる。
【００４８】
また、複数個の爪部４１のうちの一部は、パネル部３０の開口３４付近に設けられる。
これにより、パネル部３０のベース部５０に対する位置ずれやガタツキをより効果的に抑制することができる。
【００４９】
すなわち、パネル部３０の開口３４付近は、開口３４のない場合に比べて剛性が低くなるため、撓みやすく、ベース部５０に対して位置ずれやガタツキを生じやすい。
【００５０】
そこで、本実施形態にあっては、パネル部３０の開口３４付近に爪部４１を設け、開口３４付近でベース部５０に取り付けられるようにした。本実施形態にあっては、爪部４１等により、パネル部３０をベース部５０に対して前後方向や上下方向に位置決めしつつ固定できることから、開口３４付近のベース部５０に対する位置ずれやガタツキを効果的に抑制することができる。
【００５１】
続いて、ベース部５０について説明する。ベース部５０は、樹脂製とされるが、これに限られない。なお、ベース部５０は、インストルメントパネル３の内側の車体に固定されるが、パネル部３０が取り付けられる時点では必ずしも車体に固定されることを要しない。すなわち、ベース部５０は、パネル部３０が取り付けられた後に、車体に固定されるようにしてもよい。
【００５２】
ベース部５０は、例えば薄板状に形成されるとともに、表面５０ａがパネル部３０の形状と対応するように形成される。具体的には、ベース部５０は、パネル部３０と同様に、平面部位５２と、湾曲部位５３とを備える。
【００５３】
平面部位５２は、例えばベース部５０の下端部５０ｃからＺ軸正方向に沿って平面状に形成される。湾曲部位５３は、平面部位５２から連続して形成されるとともに、例えばベース部５０の上端部５０ｄ付近において表面５０ａ側へ突出するように湾曲した形状に形成される。
【００５４】
また、ベース部５０には、開口５１が設けられる。開口５１は、表示部８０の表示画面８０ａと対向する位置に形成される。したがって、表示部８０は、表示画面８０ａを開口５１から露出させた状態で、ベース部５０に収容される。
【００５５】
さらに、ベース部５０において、パネル部３０側の開口３４と対応する位置には、開口５４が設けられる。したがって、例えばＤＶＤは、パネル部３０側の開口３４からベース部５０側の開口５４を介して再生装置に挿入される。
【００５６】
また、ベース部５０において、パネル部３０側の爪部４１と対応する位置には、孔部６１が複数個設けられる。具体的には、孔部６１は、ベース部５０の上端部５０ｄ側にある湾曲部位５３の付近に設けられる。
【００５７】
図５は、ベース部５０の孔部６１付近を拡大して示す斜視図である。また、図６は、図５のVI−VI線断面図である。
【００５８】
図５および図６に示すように、孔部６１は、側面視略Ｌ字状の板部６２を備え、かかる板部６２に挿通孔６３が形成される。詳しくは、板部６２は、例えば板状に形成される。また、板部６２は、ベース部５０の上端部５０ｄからＺ軸負方向（鉛直下向き方向）に向けて突出した後、途中で屈曲してＹ軸負方向（取り付け方向とは反対側の方向）へ向けて延びるように形成される。
【００５９】
そして、板部６２の中央付近には、パネル部３０側の挿通部４３および基端部４２を挿通可能な挿通孔６３が形成される。また、板部６２の先端には、挿通部４３および基端部４２の挿通を案内するガイド部６４が形成される。ガイド部６４は、傾斜面６４ａを備える。傾斜面６４ａは、パネル部３０側の傾斜面４４ａ（図４参照）と同様に、取り付け方向に対して傾斜する面である。
【００６０】
上記のように構成された板部６２は、矢印Ｅで示すように、上下方向に弾性変形可能とされる。これにより、板部６２は、挿通部４３および基端部４２が挿通孔６３に挿通されるときに、例えば基端部４２によって押し下げられ、図６に示す初期形状から弾性変形するが、これについては図８Ｅを参照して後述する。
【００６１】
突起部７１は、ベース部５０の上端部５０ｄ付近で、挿通孔６３に対してＺ軸正方向側に隣接した位置に設けられる。また、突起部７１は、当接面７１ａを備える。当接面７１ａは、例えば突起部７１がパネル部３０側の挿通部４３とパネル部３０の裏面３０ｂとの間に挟まれて位置される場合に、パネル部３０の裏面３０ｂと当接する面である。したがって、当接面７１ａは、パネル部３０の裏面３０ｂで、かつ湾曲部位３３に対応するような形状とされる。
【００６２】
さらに、ベース部５０は、リブ部６６を備える。リブ部６６は、湾曲部位５３の一部であり、例えばパネル部３０がベース部５０に取り付けられた状態で、パネル部３０の裏面３０ｂと当接するように構成される。
【００６３】
したがって、リブ部６６は当接面６６ａを備え、かかる当接面６６ａは、突起部７１の当接面７１ａと同様、パネル部３０の裏面３０ｂで、かつ湾曲部位３３に対応するような形状とされる。これにより、パネル部３０の前方向（Ｙ軸正方向）の移動がリブ部６６によって規制されることから、パネル部３０をベース部５０に対して前方向に位置決めしつつ固定することができるが、これについては図８Ｆを参照して後述する。
【００６４】
上記のように構成されたベース部５０にパネル部３０が取り付けられる。図７は、パネル部３０が取り付けられたベース部５０を、図６の矢印Ｆから見た場合の拡大斜視図である。
【００６５】
図７に示すように、爪部４１の挿通部４３および基端部４２が孔部６１の挿通孔６３に挿通され、突起部７１は挿通部４３とパネル部３０の裏面３０ｂ（図７で見えず）との間に挟まれて位置されるとともに、爪部４１の基端部４２は挿通孔６３に係止されることで、パネル部３０がベース部５０に取り付けられる。
【００６６】
＜３．パネル装置の組立方法＞
次に、パネル部３０をベース部５０に取り付けてパネル装置２０を組み立てる方法について、図８Ａ〜図８Ｆを参照しつつ説明する。図８Ａ〜図８Ｆは、パネル装置２０の組み立て方法を説明するための図である。
【００６７】
なお、図８Ａ〜図８Ｆにおいては、パネル装置２０の組み立て方法の説明に必要な構成要素のみを図示している。また、以下に説明するパネル装置２０の組み立ては、例えば図示しない作業者や作業ロボットによって実行される。
【００６８】
まず、図８Ａに示すように、パネル部３０がベース部５０に対向するように配置される、詳しくは、パネル部３０の爪部４１が、ベース部５０の孔部６１等に対向するように配置される。
【００６９】
次いで、図８Ｂに示すように、パネル部３０は、ベース部５０に向けて移動させられる、言い換えれば、取り付け方向であるＹ軸正方向へ移動させられる。そして、パネル部３０は、爪部４１の挿通部４３の先端部４３ｂがベース部５０側の孔部６１のガイド部６４に到達し、ガイド部６４によって案内されつつ移動させられる。
【００７０】
なお、ガイド部６４には傾斜面６４ａが設けられるため、例えばパネル部３０が図８Ｂに示す規定位置よりも僅かに下方に位置して移動させられる場合であっても、挿通部４３が傾斜面６４ａに当接することとなる。挿通部４３が傾斜面６４ａに当接すると、パネル部３０を傾斜面６４ａに倣って上方へ移動させることができ、よって規定位置に戻すことができる。
【００７１】
次いで、図８Ｃに示すように、爪部４１の挿通部４３は、孔部６１の挿通孔６３に挿通されつつ、先端部４３ｂが突起部７１に到達する。これにより、挿通部４３の下面４３ａ側にはガイド部６４が位置される一方、上面４３ｃ側には突起部７１が位置される。したがって、パネル部３０は、ガイド部６４および突起部７１によって上下方向の移動が規制されながら、取り付け方向へ移動させられることとなり、よって挿通部４３を孔部６１の挿通孔６３へ確実に挿通させることができる。
【００７２】
次いで、図８Ｄに示すように、パネル部３０側の傾斜部４４の傾斜面４４ａがガイド部６４の傾斜面６４ａと当接するため、パネル部３０の傾斜部４４および基端部４２がベース部５０の板部６２を徐々に押し下げる。
【００７３】
次いで、図８Ｅに示すように、板部６２は、挿通部４３および基端部４２が挿通孔６３に挿通されるときに基端部４２が押し当てられて初期形状から弾性変形する。このとき、板部６２の弾性変形によってベース部５０には、ベース部５０を下方へ移動させる力が作用するが、ベース部５０の突起部７１は挿通部４３に当たるため、ストッパとして機能し、ベース部５０が下方へ移動することを防止することができる。
【００７４】
そして、図８Ｆに示すように、パネル部３０がＹ軸正方向へさらに移動させられ、挿通部４３および基端部４２の挿通が完了すると、板部６２は、基端部４２の押し当てが解除されて初期形状に戻り、基端部４２が挿通孔６３に係止される。これにより、パネル部３０は、ベース部５０に取り付けられ、パネル装置２０の組み立てが完了する。
【００７５】
このように、本実施形態にあっては、板部６２が、基端部４２の押し当てによって弾性変形し、基端部４２が挿通孔６３に到達して基端部４２の押し当てが解除された時点で、初期形状に戻るようにしたことから、基端部４２を挿通孔６３に確実に係止させることができる。
【００７６】
また、パネル部３０がベース部５０に取り付けられた状態において、突起部７１は挿通部４３とパネル部３０の裏面３０ｂとの間に挟まれて位置される。また、パネル部３０がベース部５０に取り付けられた状態において、突起部７１の当接面７１ａは、パネル部３０の裏面３０ｂと当接する。これにより、図８Ｆに破線の閉曲線Ａ１，Ａ２で示す位置において、パネル部３０の上下方向（矢印Ｄ１参照）および前方向（Ｙ軸正方向）の移動が規制される。
【００７７】
さらに、パネル部３０がベース部５０に取り付けられた状態において、リブ部６６の当接面６６ａは、パネル部３０の裏面３０ｂと当接する。これにより、図８Ｆに破線の閉曲線Ａ３で示す位置において、パネル部３０の前方向の移動が規制される。
【００７８】
また、パネル部３０がベース部５０に取り付けられた状態において、爪部４１の基端部４２が挿通孔６３に係止される。これにより、図８Ｆに破線の閉曲線Ａ４で示す位置において、パネル部３０の後方向（Ｙ軸負方向）の移動が規制される。
【００７９】
したがって、本実施形態にあっては、パネル部３０をベース部５０に対して上下方向（矢印Ｄ１参照）および前後方向（矢印Ｄ２参照）に位置決めしつつ固定することができる。
【００８０】
なお、上記では、ベース部５０に対してパネル部３０を移動させてパネル装置２０を組み立てるようにしたが、これに限定されるものではなく、例えばパネル部３０に対してベース部５０を移動させてパネル装置２０を組み立ててもよい。
【００８１】
上述してきたように、実施形態に係るパネル装置２０は、ベース部５０と、ベース部５０に取り付けられるパネル部３０とを備える。パネル部３０は、パネル部３０の裏面３０ｂからベース部５０への取り付け方向とは異なる方向に向けて突出する基端部４２と、基端部４２からベース部５０への取り付け方向に向けて突出する挿通部４３とを含む爪部４１を備える。
【００８２】
ベース部５０は、挿通部４３が挿通可能な挿通孔６３を有する孔部６１と、挿通孔６３に隣接して設けられる突起部７１とを備える。そして、爪部４１の挿通部４３および基端部４２が孔部６１の挿通孔６３に挿通されることにより、突起部７１は挿通部４３とパネル部３０の裏面３０ｂとの間に挟まれて位置されるとともに、基端部４２は挿通孔６３に係止され、よってパネル部３０がベース部５０に取り付けられる。これにより、パネル部３０のベース部５０に対する位置決め性を向上させることができる。
【００８３】
また、本実施形態にあっては、パネル部３０をベース部５０に対して上下方向および前後方向に位置決めしつつ固定するため、例えば射出成形時に生じる残留応力によってパネル部３０に反りがある場合であっても、パネル部３０のベース部５０に対する浮きを抑制しつつ取り付けることができる。
【００８４】
また、本実施形態では、パネル部３０やベース部５０に爪部４１や孔部６１を形成する構成で、パネル部３０をベース部５０に取り付けるようにしたことから、例えばネジや接着テープなどの取り付け部材を用いた場合に比べ、コスト的に有利である。
【００８５】
また、本実施形態に係るベース部５０およびパネル部３０は、車両１に搭載されるようにした。したがって、例えば車両走行中の振動や周辺部品の製品バラツキ等によってパネル部３０がベース部５０から浮くような外力が作用した場合であっても、上記構成によってパネル部３０は移動が規制されることから、パネル部３０のガタツキを抑制することができる。
【００８６】
なお、上記した実施形態では、パネル装置２０等について、「Ｘ軸方向」「Ｙ軸方向」「Ｚ軸方向」などの表現を用いて説明したが、これはパネル装置２０等が図示された状態で車両１に取り付けられたときの「Ｘ軸方向」「Ｙ軸方向」「Ｚ軸方向」を意味するものであって、方向を限定するものではない。
【００８７】
また、上記では、パネル装置２０を車載機器に適用する場合を例に挙げて説明したが、これに限定されるものではなく、例えばプリンタや洗濯機等の家電製品などその他の種類の製品に適用してもよい。
【００８８】
さらなる効果や変形例は、当業者によって容易に導き出すことができる。このため、本発明のより広範な態様は、以上のように表しかつ記述した特定の詳細および代表的な実施形態に限定されるものではない。したがって、添付の特許請求の範囲およびその均等物によって定義される総括的な発明の概念の精神または範囲から逸脱することなく、様々な変更が可能である。
【符号の説明】
【００８９】
１  車両
２０  パネル装置
３０  パネル部
４１  爪部
４２  基端部
４３  挿通部
５０  ベース部
６１  孔部
６２  板部
６３  挿通孔
６６  リブ部
７１  突起部
８０  表示部
１００  表示システム
【図１】
2018123922.tif 000003
【図２】
2018123922.tif 000004
【図３】
2018123922.tif 000005
【図４】
2018123922.tif 000006
【図５】
2018123922.tif 000007
【図６】
2018123922.tif 000008
【図７】
2018123922.tif 000009
【図８Ａ】
2018123922.tif 000010
【図８Ｂ】
2018123922.tif 000011
【図８Ｃ】
2018123922.tif 000012
【図８Ｄ】
2018123922.tif 000013
【図８Ｅ】
2018123922.tif 000014
【図８Ｆ】
2018123922.tif 000015